(57)【要約】【課題】従来の無線機統合装置は、音声、データ、制御情報等のメディア統合がなされておらず、それぞれのインタフェース条件が異なる構成となるため、無線統合装置は複数のバスや専用インタフェース回路を持たねばならなかった。【解決手段】汎用ネットワーク０１７を経由する論理的な無線通信系と無線機器による物理的な無線チャネルとの対応付けを管理すると共に無線機器の諸元を管理する通信管制装置００１の制御に基づき、通信連接装置０１６により、移動体に搭載された複数種類からなる複数の無線チャネルを形成する無線機００９〜０１２と、ネット通信端末０１８、０１９が接続された汎用ネットワーク０１７とを連接し、無線機制御装置００２により、無線機００９〜０１２の設定及び制御を行うようにして、複数の無線機器を一つの通信システムとして機能させるようにした。【選択図】　　　　　　　　図１
2004032478.tif 000002
【特許請求の範囲】
【請求項１】
移動体に搭載され、複数種類からなる複数の無線チャネルを形成する無線機と、通信端末が接続された上記移動体中のネットワークとを連接する通信連接装置、上記無線機の諸元の設定及び制御を行う無線機制御装置、上記通信端末によって使用される論理的な無線通信系と上記無線チャネルとの対応付けを管理すると共に上記無線機の諸元を管理する通信管制装置を備え、上記通信連接装置は、上記通信管制装置の管理する論理的な無線通信系と上記無線チャネルとの対応付けに基づき、上記論理的な無線通信系により上記通信端末から伝送される無線伝送情報を上記無線チャネルに割当てると共に、上記通信端末から伝送される上記無線機を制御する無線機制御情報を上記無線機制御装置に出力するよう構成され、上記無線機制御装置は、上記通信管制装置の管理する無線機の諸元に基づき、上記無線機の諸元の設定を行うと共に、上記無線機制御情報に基づき上記無線機を制御するように構成されていることを特徴とする無線機管制システム。
【請求項２】
移動体に搭載され、複数種類からなる複数の無線チャネルを形成するソフトウエア無線機と、通信端末が接続された上記移動体中のネットワークとを連接する通信連接装置、上記ソフトウエア無線機の諸元の設定及び制御を行う無線機制御装置、上記通信端末によって使用される論理的な無線通信系と上記無線チャネルとの対応付けを管理すると共に上記ソフトウエア無線機の諸元を管理する通信管制装置を備え、上記通信連接装置は、上記通信管制装置の管理する論理的な無線通信系と上記無線チャネルとの対応付けに基づき、上記論理的な無線通信系により上記通信端末から伝送される無線伝送情報を上記無線チャネルに割当てると共に、上記通信端末から伝送される上記ソフトウエア無線機を制御する無線機制御情報を上記無線機制御装置に出力するよう構成され、上記無線機制御装置は、上記通信管制装置の管理するソフトウエア無線機の諸元に基づき、上記ソフトウエア無線機の諸元の設定を行うと共に、上記無線機制御情報に基づき上記ソフトウエア無線機を制御するように構成されていることを特徴とする無線機管制システム。
【請求項３】
上記ソフトウエア無線機の無線チャネルに高周波通信ルートの設定を行う空中線切換器を備え、上記空中線切換器は、上記無線機制御装置の制御により上記高周波ルートの設定を行うことを特徴とする請求項２記載の無線機管制システム。
【請求項４】
上記ソフトウエア無線機の無線チャネルに高周波通信ルートの設定を行う空中線切換器を備え、上記空中線切換器は、上記無線機制御装置の制御により上記ソフトウエア無線機を経由して上記高周波ルートの設定を行うことを特徴とする請求項２記載の無線機管制システム。
【請求項５】
移動体に搭載され、複数種類からなる複数の無線チャネルを形成するソフトウエア無線機と、通信端末が接続された上記移動体中のネットワークとを連接する通信連接装置、上記通信端末によって使用される論理的な無線通信系と上記無線チャネルとの対応付けを管理すると共に上記ソフトウエア無線機の諸元の設定及び制御を行う通信管制装置を備え、上記通信連接装置は、上記通信管制装置の管理する論理的な無線通信系と上記無線チャネルとの対応付けに基づき、上記論理的な無線通信系により上記通信端末から伝送される無線伝送情報を上記無線チャネルに割当てると共に、上記通信端末から伝送される上記ソフトウエア無線機を制御する無線機制御情報を上記通信管制装置に出力するよう構成され、上記通信管制装置は、上記無線機制御情報に基づき上記ソフトウエア無線機を制御するように構成されていることを特徴とする無線機管制システム。
【請求項６】
上記ソフトウエア無線機の無線チャネルには、高周波通信ルートが固定的に割当てられていることを特徴とする請求項２または請求項５記載の無線機管制システム。
【請求項７】
上記無線機制御装置は、無線機の保守を行う保守端末装置が接続されるよう構成されていることを特徴とする請求項１〜請求項４のいずれか一項記載の無線機管制システム。
【請求項８】
上記通信連接装置は、無線機の保守を行う保守端末装置が接続されるよう構成されていることを特徴とする請求項１〜請求項６のいずれか一項記載の無線機管制システム。
【請求項９】
上記通信連接装置は、無線機の保守を行う複数の保守端末装置が接続されるよう構成されていることを特徴とする請求項１〜請求項６のいずれか一項記載の無線機管制システム。
【請求項１０】
上記論理的な無線通信系により上記通信端末から伝送される無線伝送情報には、論理的なアドレス及びパケット情報及びオーディオ信号が含まれると共に、上記通信連接装置は、上記通信管制装置の管理する論理的な無線通信系と無線チャネルとの対応付けに基づき、上記論理的なアドレスを物理的なアドレスに変換するアドレスコンバータと、上記パケット情報を上記無線チャネルにルーティングするＤＡＴＡマルチプレクサと、上記オーディオ信号を上記無線チャネルにルーティングするアナログマルチプレクサとを有することを特徴とする請求項１〜請求項９のいずれか一項記載の無線機管制システム。
【請求項１１】
上記通信連接装置は、上記通信端末が上記無線チャネルを直接アドレスできるように拡張されたアドレスコンバータを有することを特徴とする請求項１０記載の無線機管制システム。
【請求項１２】
上記無線チャネルによって伝送される無線伝送情報を秘匿する秘匿装置を備えたことを特徴とする請求項１〜請求項１１のいずれか一項記載の無線機管制システム。
【請求項１３】
上記秘匿装置は、機能変更が可能なソフトウエア秘匿装置であることを特徴とする請求項１２記載の無線機管制システム。
【請求項１４】
上記移動体中のネットワーク上に複数の無線機管制システムが設けられていることを特徴とする請求項１〜請求項１３のいずれか一項記載の無線機管制システム。
【発明の詳細な説明】
【０００１】
【発明の属する技術分野】
この発明は、移動体に搭載された異種複数の無線機を統合し、複数の無線通信チャネルを有する一つの通信システムとして機能させる無線機管制システムに関するものである。
【０００２】
【従来の技術】
図１２は、例えば、特開平２−２４９３２３号公報に示された従来の無線機統合装置を示す構成図である。
図１２において、３０１〜３０４は航空機、自動車、船舶等に搭載または装備される異種複数の無線機、３０５〜３０７はデータ端末器、３０９はディジタル方式の制御ラインであるコントロールバス（ＣＯＮＴ　ＢＵＳ）、３１０は音声帯域のアナログ信号を伝送するオーディオバス（ＡＵＤＩＯ　ＢＵＳ）である。３２３は第１のインタフェースユニット（Ｉ／Ｆ−１ユニット）であり、無線機３０１〜３０４とデータ端末器３０５〜３０７との間のインタフェース回路を含み、コントロールバス３０９とオーディオバス３１０とを介して第２のインタフェースユニット（Ｉ／Ｆ−２ユニット）３２４と接続される。
３２５、３２７は無線機用制御器とデータ端末器用制御器を１つの筐体にコンパクトに統合化した無線統合制御器、３２６、３２７は無線統合制御器３２５、３２７とコントロールバス３０９とをインタフェースするためのＩ／Ｏユニット、３２９、３３１は操作制御器で、前述の無線統合制御器３２５、３２７の操作項目の中で特に操作頻度の高い項目を取り出して運転中に操作監視し、無線統合制御器３２５、３２７と並列に接続されると共にオーディオバス３１０にＩ／Ｏユニット３３０、３３２を介して接続されている。
【０００３】
次に動作について説明する。
航空機、船舶等に搭載され、異なるインタフェース回路を有する異種の無線機器３０１〜３０４と、データ端末器３０５〜３０７が、Ｉ／Ｆ−１ユニット３２３に接続され、データ端末器３０５〜３０７は、Ｉ／Ｆ−１ユニット３２３の内部回路を介して無線機３０１〜３０４との情報交換を行う。
データ端末器３０５〜３０７および無線機３０１〜３０４の制御は、コントロールバス３０９に接続された無線統合制御器３２５、３２７および操作制御器３２９、３３１により行われる。
Ｉ／Ｆ−１ユニット３２３は、新、旧あらゆる無線機器および航法機器のインタフェース回路を収容し、このインタフェース回路は入出力レベルの整合機能を有する。Ｉ／Ｆ−２ユニット３２４は、コントロールバス３０９およびオーディオバス３１０の終端を形成し、他のバスラインとのインタフェース回路を有する構成である。Ｉ／Ｆ−２ユニット３２４は、マイク、スピーカ等の音響機器とのインタフェース機能を有する。
【０００４】
コントロールバス３０９には、無線機の初期設定と運用制御操作を行う複数の無線統合制御器３２５、３２７が、入出力インタフェースを行うＩ／Ｏユニット３２６、３２８を介して接続され、無線機３０１〜３０４およびデータ端末器３０５〜３０７の制御情報の伝送を行う。オーディオバス３１０には、操作制御器３２９、３３１が入出力インタフェースＩ／Ｏユニット３３０、３３２を介して接続され、マイク、スピーカ、ヘッドセット等が接続され、オーディオ情報の伝送を行う。
また、操作制御器３２９、３３１は、操作頻度の高い無線機の制御機能を有し、無線統合制御器３２５、３２７と並列にコントロールバス３０９を介して、無線機器等の制御が可能な構成であった。
【０００５】
【発明が解決しようとする課題】
このように、従来の移動体中の無線機統合装置では、ＩＦ−１ユニット３２３に無線機３０１〜３０４とデータ端末器３０５〜３０７が接続され、ＩＦ−１ユニット３２３内でデータ端末器３０５〜３０７と無線機３０１〜３０４との情報伝送を実施する構成であった。
また、Ｉ／Ｆ−１ユニット３２３とＩ／Ｆ−２ユニット３２４の間に設けられた、コントロールバス３０９に、各種無線機３０１〜３０４の制御を行う無線統合制御器３２５、３２７が接続され、オーディオバス３１０に、各種無線機３０１〜３０４のオーディオ入出力等を行う操作制御器３２９、３３１が接続されることにより構成されていた。
【０００６】
このように、音声、データ、制御情報等のメディア統合がなされておらず、それぞれのインタフェース条件が異なる構成となるため、無線機統合装置は複数のバスや専用インタフェース回路を持たねばならず構成コストの上昇を招いていた。
また、無線機統合装置は、従来の無線機制御の統合化を主眼とした構成であり、マルチメディア情報の無線伝送を実施する場合の、伝送回線のルーティングや、無線機の運用マネージメント機能などが含まれない。このため、移動体中の各種システム機材が汎用ネットワークに連接され、データ、音声、制御情報等がネット経由で伝送されて、これを無線伝送するシステムにおいての適用が困難であった。
【０００７】
この発明は、上記のような課題を解決するためになされたもので、異種複数の無線機をネットワークに連接し、音響機器、データ端末、制御端末などからの各種情報、無線機制御情報などのネットワークからのマルチメディア情報をそのデータ種別および指定された論理的な無線通信系情報に従い、適切な無線伝送ルートへのルーティングを実施し、ネットワーク情報を無線機にて伝送可能にした無線機管制システムを得ることを第一の目的とする。
また、異種複数の無線機の無線チャネル設定のスケジューリングや各無線チャネルの管理を行うと共に、無線機器間の接続制御および諸元設定等を実施して、ネットワークを介して無線機および無線チャネルのマネージメントを行うようにした無線機管制システムを得ることを第二の目的とする。
また、ソフトウエア無線機のプログラム変更も、ネットワークを介して行うようにした無線機管制システムを得ることを第三の目的にしている。
【０００８】
【課題を解決するための手段】
この発明に係わる無線機管制システムにおいては、移動体に搭載され、複数種類からなる複数の無線チャネルを形成する無線機と、通信端末が接続された移動体中のネットワークとを連接する通信連接装置と、無線機の諸元の設定及び制御を行う無線機制御装置と、通信端末によって使用される論理的な無線通信系と無線チャネルとの対応付けを管理すると共に無線機の諸元を管理する通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送される無線機を制御する無線機制御情報を無線機制御装置に出力するよう構成され、無線機制御装置は、通信管制装置の管理する無線機の諸元に基づき、無線機の諸元の設定を行うと共に、無線機制御情報に基づき無線機を制御するように構成されているものである。
【０００９】
また、移動体に搭載され、複数種類からなる複数の無線チャネルを形成するソフトウエア無線機と、通信端末が接続された移動体中のネットワークとを連接する通信連接装置と、ソフトウエア無線機の諸元の設定及び制御を行う無線機制御装置と、通信端末によって使用される論理的な無線通信系と無線チャネルとの対応付けを管理すると共にソフトウエア無線機の諸元を管理する通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送されるソフトウエア無線機を制御する無線機制御情報を無線機制御装置に出力するよう構成され、無線機制御装置は、通信管制装置の管理するソフトウエア無線機の諸元に基づき、ソフトウエア無線機の諸元の設定を行うと共に、無線機制御情報に基づきソフトウエア無線機を制御するように構成されているものである。
【００１０】
また、ソフトウエア無線機の無線チャネルに高周波通信ルートの設定を行う空中線切換器を備え、空中線切換器は、無線機制御装置の制御により高周波ルートの設定を行うものである。
さらに、ソフトウエア無線機の無線チャネルに高周波通信ルートの設定を行う空中線切換器を備え、空中線切換器は、無線機制御装置の制御によりソフトウエア無線機を経由して高周波ルートの設定を行うものである。
【００１１】
また、移動体に搭載され、複数種類からなる複数の無線チャネルを形成するソフトウエア無線機と、通信端末が接続された移動体中のネットワークとを連接する通信連接装置と、通信端末によって使用される論理的な無線通信系と無線チャネルとの対応付けを管理すると共にソフトウエア無線機の諸元の設定及び制御を行う通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送されるソフトウエア無線機を制御する無線機制御情報を通信管制装置に出力するよう構成され、通信管制装置は、無線機制御情報に基づきソフトウエア無線機を制御するように構成されているものである。
【００１２】
また、ソフトウエア無線機の無線チャネルには、高周波通信ルートが固定的に割当てられているものである。
さらにまた、無線機制御装置は、無線機の保守を行う保守端末装置が接続されるよう構成されているものである。
【００１３】
また、通信連接装置は、無線機の保守を行う保守端末装置が接続されるよう構成されているものである。
また、通信連接装置は、無線機の保守を行う複数の保守端末装置が接続されるよう構成されているものである。
【００１４】
加えて、論理的な無線通信系により通信端末から伝送される無線伝送情報には、論理的なアドレス及びパケット情報及びオーディオ信号が含まれると共に、通信連接装置は、通信管制装置の管理する論理的な無線通信系と無線チャネルとの対応付けに基づき、論理的なアドレスを物理的なアドレスに変換するアドレスコンバータと、パケット情報を無線チャネルにルーティングするＤＡＴＡマルチプレクサと、オーディオ信号を無線チャネルにルーティングするアナログマルチプレクサとを有するものである。
また、通信連接装置は、通信端末が無線チャネルを直接アドレスできるように拡張されたアドレスコンバータを有するものである。
【００１５】
また、無線チャネルによって伝送される無線伝送情報を秘匿する秘匿装置を備えたものである。
さらに、秘匿装置は、機能変更が可能なソフトウエア秘匿装置であるものである。
また、移動体中のネットワーク上に複数の無線機管制システムが設けられているものである。
【００１６】
【発明の実施の形態】
実施の形態１．
以下、この発明の実施の形態１を図について説明する。
図１は、この発明の実施の形態１による無線機管制システムを示す構成図である。
図１において、００１は複数の異種無線機器を統合し、複数の無線チャネルを有する１つの通信システムとして、システム管理する通信管制装置、００２は無線機および秘匿切換器などの諸元設定及び送受信制御を行う無線機制御装置、００３〜００６は無線機の空中線整合器である。００７、００８は無線機の周波数バンドに対応した空中線共用器、００９〜０１２は移動体に装備された異種複数の無線機である。
０１３は無線機の通信回線を任意の秘匿装置に対応付けるための秘匿切換器、０１４は秘匿装置の諸元管理を行う秘匿管理装置、０１５は無線チャネル秘匿のための秘匿装置である。なお、以下００３〜０１５を無線機器という。０１６は移動体中の汎用ネットワークを介して接続されたネット通信端末から、論理的な無線通信系対応で伝送された無線情報を、物理的な無線チャネル対応の通信回線にルーティングを行う通信連接装置である。０１７は移動体中の汎用ネットワーク、０１８、０１９は汎用ネットワーク０１７に接続されたネット通信端末（通信端末）である。０２０は通信保守などを行うための保守通信端末で、通信連接装置０１６に接続され、無線機器００３〜０１５を保守し、ネットワーク障害時に無線機器室にて無線機を制御し通信を行う機能を有すると共に、各無線機の障害モニタを行う。
【００１７】
次に、通信連接装置０１６の内部構成の一例を図について説明する。
図２は、この発明の実施の形態１による無線機管制システムの通信連接装置を示す構成図である。
図２において、１０１はネット通信端末０１８、０１９から、論理的な無線通信系である通信系ＮＥＴ回線としてネットワーク経由で伝送された情報のアドレスを、伝送情報用の無線チャネルアドレスまたは物理的な無線機器アドレスに変換するアドレスコンバータである。１０２はアドレスコンバータ１０１が行うルーティング情報を設定するアドレス変換テーブル、１０３はアドレスコンバータ１０１にて例外処理となった情報を、必要に応じてネット通信端末０１８、０１９への障害通知を行うために通信管制装置００１へ転送する例外アドレス処理回路である。
１０４はネット伝送されたパケット情報を無線機００９〜０１２に対応したフレーム情報などへの変換処理を行う情報処理ユニット、１０５は情報処理ユニット１０４で処理されたデータを任意の無線チャネルにルーティングを行うＤＡＴＡマルチプレクサ、１０６は情報処理ユニット１０４で音声などのオーディオ信号として処理された情報を任意の無線チャネルにルーティングを行うアナログマルチプレクサである。１０７は任意の通信回線のログ情報の取得を行うための通信記録インタフェース、１０８は保守通信端末０２０と通信連接装置０１６とのインタフェース機能を有する保守端末インタフェースである。
なお、無線機は、音声、画像、テキストデータなどの伝送情報の入出力端と、周波数設定、送信制御、自己診断レポートなどの遠隔無線機制御情報の入出力端を有しており、無線機器アドレスは、遠隔無線機制御用アドレスに対応し、無線機制御装置００２経由で無線機器の制御を行うときのものである。無線チャネルアドレスは、伝送情報用のアドレスに対応し、通信連接装置から直接無線機に伝送されるときのものである。
【００１８】
次に、無線機制御装置００２の内部構成の一例を図について説明する。
図３は、この発明の実施の形態１による無線機管制システムの無線機制御装置を示す構成図である。
図３において、１５１は無線機器の制御を行う制御ネットワークのサブＮＥＴスイッチ、１５２は異種複数の無線機器の諸元設定制御を行う通信機器制御ユニット、１５３は無線チャネルに対応した通信諸元を管理する無線系諸元管理テーブル、１５４〜１５５はネットワーク経由で伝送される制御情報を、各種無線機００９〜０１２や秘匿管理装置０１４とインタフェースをとる無線機器ＮＥＴインタフェース、１５６は保守通信端末０２０の制御情報とのインタフェースをとる保守端末インタフェースである。
【００１９】
次に、通信管制装置００１の内部構成の一例を図について説明する。
図４は、この発明の実施の形態１による無線機管制システムの通信管制装置を示す構成図である。
図４において、２０１は通信オペレータがこのシステムの操作、保守を実施するオペレーション・コンソール、２０２は各無線チャネルの通信スケジューリングを管理するスケジュール管理テーブル、２０３は後述する通信データベースに登録され、無線通信系諸元や秘匿管理諸元および無線機プログラムデータなどのセキュリティを含むデータベース管理を行うデータベース管理テーブルである。２０４は汎用ネットワーク０１７とのインタフェース機能を持ち、通信連接装置０１６内の例外アドレス処理回路１０３で発生したネット通信端末０１８、０１９へのアラーム伝送などを行うＮＥＴインタフェース、２０５は通信連接装置０１６とのインタフェース機能を有する通信回線ルーティング管理Ｉ／Ｆ、２０６は無線機制御装置００２とのインタフェース機能を有する通信機器管理Ｉ／Ｆである。２５１は汎用ネットワーク０１７に接続された通信データベースである。
【００２０】
図５は、この発明の実施の形態１による無線機管制システムの無線通信系テーブルを示す図であり、論理的な無線通信系と、物理的な無線チャネルの対応付けを管理する無線通信系テーブルの一例を示している。
図５の無線通信系テーブルは、無線通信系に対する、物理的な無線チャネルの対応をマッピングする。例えば、無線通信系：ＮＥＴ０１が、無線チャネル：ＣＨ１を使用して通信を実施する場合に、ＣＨ１が電波干渉等により利用できないときは、予備チャネルのＣＨ１１／ＣＨ２１を使用して通信することを予め取り決めて、無線通信系テーブルに登録できる。
この無線通信系テーブルは、無線チャネルの回線障害時に切換える、予備の無線チャネルをマッピングしており、回線障害時に図２に示される通信連接装置のアドレス変換テーブル１０２の更新処理を実施し、無線通信系を予備の無線チャネルに切換えるための設定情報を管理する。
【００２１】
図６は、この発明の実施の形態１による無線機管制システムの無線系諸元管理テーブルを示す図であり、無線チャネルの諸元設定を行うための、無線系諸元管理テーブルの一例を示している。
図６の無線系諸元管理テーブルは、無線チャネルの物理諸元（バンド／周波数／変調／出力など）を設定する無線諸元テーブルと、通信対象の諸元（通信対象／伝送種別／秘匿種別など）を設定する通信諸元テーブルから構成され、図３の無線機制御装置の無線系緒元管理テーブル１５３に登録される。
この無線系緒元管理テーブル１５３により、無線機器制御ユニット１５２を介して、無線機器に対して緒元設定制御が実施される。
【００２２】
図７は、この発明の実施の形態１による無線機管制システムのスケジュール管理テーブルを示す図であり、無線機器の運用スケジュールを設定するスケジュール管理テーブルの一例を示している。
予め通信系の運用スケジュールが決まっている無線機器に対して、スケジュールに従った通信設定および送受信を自動的に実施することができる。例えば、決まった時間にＣＨ２でメール情報の無線伝送を一括処理するシステムの場合、その時間にだけ、ＣＨ２に無線機器設定を切り替えて伝送処理し、メール伝送が終了した時点で元の無線機器設定に戻すことにより、ＣＨ２専用の無線機器を用意する必要が無くなり、無線機器の有効利用が可能となる。
図７のスケジュール管理テーブルは、図４の通信管制装置のスケジュール管理テーブル２０２に登録され、通信機器管理Ｉ／Ｆ２０６を介して、運用途中での無線機器のスケジュールリング管理が実施される。
【００２３】
次に、実施の形態１の動作について説明する。
例えば、移動体内の汎用ネットワーク０１７に接続された、ネット通信端末０１８が、論理的な無線通信系のＳＨＩＰ１通信系に加入して通信を行う場合、ネット通信端末０１８は、論理的な無線通信系に対応したアドレスを用いて、通信連接装置０１６への情報伝送を行う。
通信連接装置０１６では、通信連接装置０１６内のアドレスコンバータ１０１にて、論理的な無線通信系に対応したアドレスを、伝送情報用の無線チャネルアドレスまたは制御対象となる物理的な無線機器アドレスに変換し、無線伝送情報／通信機器制御情報のルーティングを行う。無線伝送情報については、秘匿装置０１５や秘匿切換器０１３等の入出力インタフェースに適合したフォーマットに変換する。この入出力インタフェース回路は、例えばソフトウェアのダウンロードにてフォーマットや入出力レベルなどが変更可能な構成とする。制御情報は無線機制御装置００２に伝送される。
【００２４】
次に、ネット通信端末０１８からの無線機器制御情報は、無線機制御装置００２により、無線機００９等の入出力インタフェースに適合した制御信号に変換する。この入出力インタフェースも、ソフトウェアにて変更可能な構成とすることが可能である。また、論理的な無線通信系に対応した無線機器の諸元設定を、通信管制装置００１からの制御により実行する。
通信管制装置００１は、オペレーション・コンソール２０１を用いて、無線機管制システムの運用、保守、管理を実施し、無線機器への各種諸元設定の制御などを行う。図５に示される無線通信系テーブルにより、論理的な無線通信系と、物理無線チャネルの対応付けを管理し、通信連接装置０１６のアドレス変換テーブル１０２の更新処理を実施する。
【００２５】
また、図６に示される無線系諸元管理テーブルの管理を行い、無線機制御装置００２が無線機器Ｈ／Ｗに実際に設定する無線諸元の更新処理を行う。
また、図７に示されるスケジュール管理テーブルにより、無線機器Ｈ／Ｗの運用スケジュールの管理などを行う。例えば、通信スケジュール管理に基づき、無線機器の送信禁止など状態制御の実施や、移動をすることにより、通信が不可能となる無線チャネルの諸元変更や、ネットワーク上のメールサーバに対するメール伝送スケジュールの調停制御などを実施する。
また、通信管制装置は、複数のネット通信端末からの無線機器制御情報に対して、制御の優先順位の設定や、ネット通信端末に対する無線機制御権の付与などのネット通信端末に対するマネージメント機能を有する。
【００２６】
実施の形態１によれば、異種複数の無線機器を、複数の無線チャネルを有する一つの通信システムとして管理、制御することができる。
また、移動体内の汎用ネットワークにより任意の場所にネット通信端末を設置可能となる。ネット通信端末は、無線機の物理的な無線チャネルへの通信を実施せず、論理的な無線通信系に対する通信を行うことで、無線機器との間での通信および制御が可能となる。
また、論理的な無線通信系に対する物理的な通信チャネルの割当ては、通信管制装置により任意にマネージメントすることができる。
さらに、従来では、複数の無線チャネルの管理を、個別の無線機に対して個別に行っていたが、システム的に統合管理できる効果がある。
【００２７】
実施の形態２．
図８は、この発明の実施の形態２による無線機管制システムを示す構成図である。
図８において、００１〜００８、０１３〜０２０は図１におけるものと同一のものである。０２１は異種複数の無線チャネルを有するソフトウエア無線機、０２２は空中線整合器などを切換える空中線切換器、０２３は可変ＲＦフィルタやアジャイルフィルタなどで構成された高周波処理器で、ＲＦ無線周波数（高周波信号）の帯域制御などの機能を有する。ソフトウエア無線機０２１は、通信相手に適合するよう、無線機内部のソフトウエアを変更することで、様々な無線通信に対応可能にしている。ソフトウエアでプログラム変更可能なＤＳＰまたはＦＰＧＡ等により、変復調部（ベースバンド信号処理）、周波数合成部（ＤＤＳ等）、信号処理部（音声処理、フレーム処理）等を構成し、共通ソフトウエア基盤にてプログラミング可能とする。
実施の形態１では、異種複数の無線機器に対する通信管制を実施するシステムを示したが、実施の形態２は、図８のように異種複数の無線チャネルを有するソフトウェア無線機０２１に対する通信管制を実施する場合、空中線切換器０２２を設け、ソフトウェア無線機０２１の各チャネルが、周波数バンドに応じた空中線整合器００３〜００６や空中線共用器００７、００８、高周波処理器０２３などを任意に選択し、無線機制御装置００２からの制御により、ソフトウエア無線機０２１を経由した空中線切換器０２２の設定により、高周波通信ルートの設定が可能な構成としている。
なお、ソフトウエア無線機０２１のプログラムの変更は、ネット通信端末により、ネットワークを介して、無線機制御装置００２を経由して行われる。
【００２８】
実施の形態３．
図９は、この発明の実施の形態３による無線機管制システムを示す構成図である。
図９において、００１〜００８、０１４、０１６〜０２３は図８におけるものと同一のものである。０２４はソフトウエア秘匿装置である。
実施の形態２では、秘匿切換器０１３にて秘匿装置０１５を切換える構成としていたが、実施の形態３は、図９のように、各無線チャネルに対応する秘匿装置を秘匿管理装置０１４からの制御により、機能変更が可能なソフトウェア秘匿装置０２４とすることにより、秘匿切換器０１３を省略した構成としている。
【００２９】
実施の形態４．
図１０は、この発明の実施の形態４による無線機管制システムを示す構成図である。
図１０において、００１、００３〜００８、０１４、０１６〜０２４は図９におけるものと、１５１は図３におけるものとそれぞれ同一のものである。
実施の形態３では、無線機制御装置にて無線機器の諸元設定管理を実施する構成であったが、実施の形態４は、図１０のように、ＮＥＴインタフェース機能を内蔵したソフトウェア無線機０２１を管制する構成として、通信管制装置００１に無線機器の制御機能を含ませることにより、無線機制御装置００２を省き、サブＮＥＴスイッチ１５１を用いた通信管制システム内部のサブネットワークを経由して、各無線機器を制御するようにしている。
【００３０】
実施の形態５．
実施の形態１では、保守通信端末０２０は、通信連接装置０１６に接続されていたが、実施の形態５は、同様の保守通信端末インタフェース機能を無線機制御装置００２に持たせる構成とし、保守通信端末０２０を無線機制御装置００２に接続するようにしたものである。
【００３１】
実施の形態６．
実施の形態１では、一つの保守通信端末０２０を通信連接装置０１６に接続する構成であったが、実施の形態６は、複数の保守通信端末を直接、通信連接装置０１６に接続可能な構成としたものである。
【００３２】
実施の形態７．
実施の形態２では、空中線切換器０２２の切換制御をソフトウェア無線機０２１経由で行っていたが、実施の形態７は、直接、無線機制御装置００２が高周波回路系統（高周波通信ルート）の切換制御および諸元設定制御を実施する構成としたものである。ここで、高周波回路は、図２の００３〜００８、０２３を含むＲＦ信号回路全般を指している。
【００３３】
実施の形態８．
実施の形態２では、空中線切換器０２２による高周波回路の切換を実施する構成としていたが、実施の形態８は、高周波回路はソフトウェア無線機０２１の各物理無線チャネルに固定割当てを行い、空中線切換器０２２を省く構成としている。
【００３４】
実施の形態９．
実施の形態１では、ネット通信端末は、論理的な無線通信系に対応して通信制御を実施する構成としていたが、実施の形態９は、ネット通信端末が直接に物理的な無線チャネルを指定した通信制御を実施可能なように、通信連接装置０１６のアドレスコンバータ１０１の設定を拡張する構成としたものである。
【００３５】
実施の形態１０．
図１１は、この発明の実施の形態１０による無線機管制システムを示す構成図である。
図１１において、００１〜０１９は図１におけるものと同一のものである。図１１では、００１、００２、０１３〜０１６が複数設けられ、複数の無線機管制システムを構成している。
実施の形態１では、無線機管制システムは、移動体ネットワーク上で１つのシステムを構成していたが、実施の形態１０は、図１１のように、ネットワーク上に複数の無線機管制システムを構成し、無線機管制システムの無線機諸元設定変更など無線機マネージメント機能により、管制システム障害発生時に、相互にバックアップが可能な構成としたものである。
【００３６】
【発明の効果】
この発明は、以上説明したように構成されているので、以下に示すような効果を奏する。
移動体に搭載され、複数種類からなる複数の無線チャネルを形成する無線機と、通信端末が接続された移動体中のネットワークとを連接する通信連接装置と、無線機の諸元の設定及び制御を行う無線機制御装置と、通信端末によって使用される論理的な無線通信系と無線チャネルとの対応付けを管理すると共に無線機の諸元を管理する通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送される無線機を制御する無線機制御情報を無線機制御装置に出力するよう構成され、無線機制御装置は、通信管制装置の管理する無線機の諸元に基づき、無線機の諸元の設定を行うと共に、無線機制御情報に基づき無線機を制御するように構成されているので、通信端末を用いて複数種類からなる複数の無線チャネルを形成する無線機を一つの通信システムとして管理することができる。
【００３７】
また、移動体に搭載され、複数種類からなる複数の無線チャネルを形成するソフトウエア無線機と、通信端末が接続された移動体中のネットワークとを連接する通信連接装置と、ソフトウエア無線機の諸元の設定及び制御を行う無線機制御装置と、通信端末によって使用される論理的な無線通信系と無線チャネルとの対応付けを管理すると共にソフトウエア無線機の諸元を管理する通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送されるソフトウエア無線機を制御する無線機制御情報を無線機制御装置に出力するよう構成され、無線機制御装置は、通信管制装置の管理するソフトウエア無線機の諸元に基づき、ソフトウエア無線機の諸元の設定を行うと共に、無線機制御情報に基づきソフトウエア無線機を制御するように構成されているので、通信端末を用いて複数種類からなる複数の無線チャネルを形成するソフトウエア無線機を管理することができる。
【００３８】
また、ソフトウエア無線機の無線チャネルに高周波通信ルートの設定を行う空中線切換器を備え、空中線切換器は、無線機制御装置の制御により高周波ルートの設定を行うので、ソフトウエア無線機の無線チャネルに高周波通信ルートの設定を行うことができる。
さらに、ソフトウエア無線機の無線チャネルに高周波通信ルートの設定を行う空中線切換器を備え、空中線切換器は、無線機制御装置の制御によりソフトウエア無線機を経由して高周波ルートの設定を行うので、ソフトウエア無線機の無線チャネルに高周波通信ルートの設定を行うことができる。
【００３９】
また、移動体に搭載され、複数種類からなる複数の無線チャネルを形成するソフトウエア無線機と、通信端末が接続された移動体中のネットワークとを連接する通信連接装置と、通信端末によって使用される論理的な無線通信系と無線チャネルとの対応付けを管理すると共にソフトウエア無線機の諸元の設定及び制御を行う通信管制装置を備え、通信連接装置は、通信管制装置の管理する論理的な無線通信系と無線チャネルとの対応付けに基づき、論理的な無線通信系により通信端末から伝送される無線伝送情報を無線チャネルに割当てると共に、通信端末から伝送されるソフトウエア無線機を制御する無線機制御情報を通信管制装置に出力するよう構成され、通信管制装置は、無線機制御情報に基づきソフトウエア無線機を制御するように構成されているので、通信端末を用いて複数種類からなる複数の無線チャネルを形成するソフトウエア無線機を管理することができる。
【００４０】
また、ソフトウエア無線機の無線チャネルには、高周波通信ルートが固定的に割当てられているので、ハードウエアを少なくして、ソフトウエア無線機の無線チャネルに高周波通信ルートを割当てることができる。
さらにまた、無線機制御装置は、無線機の保守を行う保守端末装置が接続されるよう構成されているので、無線機制御装置を経由して無線機を保守することができる。
【００４１】
また、通信連接装置は、無線機の保守を行う保守端末装置が接続されるよう構成されているので、通信連接装置を経由して無線機を保守することができる。
また、通信連接装置は、無線機の保守を行う複数の保守端末装置が接続されるよう構成されているので、通信連接装置を経由して複数の保守端末装置により無線機を保守することができる。
【００４２】
加えて、論理的な無線通信系により通信端末から伝送される無線伝送情報には、論理的なアドレス及びパケット情報及びオーディオ信号が含まれると共に、通信連接装置は、通信管制装置の管理する論理的な無線通信系と無線チャネルとの対応付けに基づき、論理的なアドレスを物理的なアドレスに変換するアドレスコンバータと、パケット情報を無線チャネルにルーティングするＤＡＴＡマルチプレクサと、オーディオ信号を無線チャネルにルーティングするアナログマルチプレクサとを有するので、マルチメディア情報に対応することができる。
【００４３】
また、通信連接装置は、通信端末が無線チャネルを直接アドレスできるように拡張されたアドレスコンバータを有するので、通信端末は、直接無線チャネルのアドレスを指定することができる。
また、無線チャネルによって伝送される無線伝送情報を秘匿する秘匿装置を備えたので、無線伝送情報を秘匿することができる。
【００４４】
さらに、秘匿装置は、機能変更が可能なソフトウエア秘匿装置であるので、秘匿装置の機能を変更することができる。
また、移動体中のネットワーク上に複数の無線機管制システムが設けられているので、複数の無線機管制システムは、相互にバックアップを行うことができる。
【図面の簡単な説明】
【図１】この発明の実施の形態１による無線機管制システムを示す構成図である。
【図２】この発明の実施の形態１による無線機管制システムの通信連接装置を示す構成図である。
【図３】この発明の実施の形態１による無線機管制システムの無線機制御装置を示す構成図である。
【図４】この発明の実施の形態１による無線機管制システムの通信管制装置を示す構成図である。
【図５】この発明の実施の形態１による無線機管制システムの無線通信系テーブルを示す図である。
【図６】この発明の実施の形態１による無線機管制システムの無線系諸元管理テーブルを示す図である。
【図７】この発明の実施の形態１による無線機管制システムのスケジュール管理テーブルを示す図である。
【図８】この発明の実施の形態２による無線機管制システムを示す構成図である。
【図９】この発明の実施の形態３による無線機管制システムを示す構成図である。
【図１０】この発明の実施の形態４による無線機管制システムを示す構成図である。
【図１１】この発明の実施の形態１０による無線機管制システムを示す構成図である。
【図１２】従来の無線機統合装置を示す構成図である。
【符号の説明】
００１　通信管制装置、００２　無線機制御装置、００３〜００６　空中線整合器、００７，００８　空中線共用器、００９〜０１２　無線機、０１３　秘匿切換器、０１４　秘匿管理装置、０１５　秘匿装置、０１６　通信連接装置、０１７　汎用ネットワーク、０１８〜０１９　ネット通信端末、０２０　保守通信端末、０２１　ソフトウェア無線機、０２２　空中線切換器、０２３　高周波処理器、０２４　ソフトウェア秘匿装置、１０１　アドレスコンバータ、１０２　アドレス変換テーブル、１０３　例外アドレス処理回路、１０４　情報処理ユニット、１０５　ＤＡＴＡマルチプレクサ、１０６　アナログマルチプレクサ、１０７　通信記録インタフェース、１０８　保守端末インタフェース、１５１　サブＮＥＴスイッチ、１５２　通信機器制御ユニット、１５３　無線系諸元管理テーブル、１５４〜１５５　無線機器ＮＥＴインタフェース、１５６　保守端末インタフェース、２０１　オペレーション・コンソール、２０２　スケジュール管理テーブル、２０３　データベース管理テーブル、２０４　ＮＥＴインタフェース、２０５　通信回線ルーティング管理Ｉ／Ｆ、２０６　通信機器管理Ｉ／Ｆ、２５１　通信データベース。
【図１】
2004032478.tif 000003
【図２】
2004032478.tif 000004
【図３】
2004032478.tif 000005
【図４】
2004032478.tif 000006
【図５】
2004032478.tif 000007
【図６】
2004032478.tif 000008
【図７】
2004032478.tif 000009
【図８】
2004032478.tif 000010
【図９】
2004032478.tif 000011
【図１０】
2004032478.tif 000012
【図１１】
2004032478.tif 000013
【図１２】
2004032478.tif 000014